(57)【要約】【課題】壁面に施工し、壁面から加温して暖房する。そして室内の温度に偏りがないようにする。また、別の設備機器を用いることなく、室内を年間を通して適当な湿度に保持する。【解決手段】パネル２の前面に、その略全体にわたって金属板３等を用いて水の流通路４を設け、水を冷却又は加熱する冷温水器５によって冷却又は加熱した水を該水の流通路４に流通させ、該水の流通路４からの熱を面として伝える冷暖房装置１を用いる。前記パネル２の前面に、調湿機能を持つ壁材を用いて製作したタイル６を接着し、これを室内における壁面とする。【選択図】        図１
2004163053.tif 000002
【特許請求の範囲】
【請求項１】
パネルの前面に、その略全体にわたって金属板等を用いて水の流通路を設け、水を冷却又は加熱する冷温水器によって冷却又は加熱した水を該水の流通路に流通させ、該水の流通路からの熱を面として伝える冷暖房装置における前記パネルの前面に、調湿機能を持つ壁材の層を形成し、これを室内における壁の表面となしたことを特徴とする壁面冷暖房構造。
【請求項２】
調湿機能を持つ壁材が、火山灰シラスを主成分とする調湿機能を持つ壁材である請求項１記載の壁面冷暖房構造。
【請求項３】
パネルの前面に、調湿機能を持つ壁材を用いて製作したタイルを接着することにより、パネルの前面に、調湿機能を持つ壁材の層を形成してなる請求項１又は２記載の壁面冷暖房構造。
【請求項４】
パネルの前面に、調湿機能を持つ壁材を塗布することにより、パネルの前面に、調湿機能を持つ壁材の層を形成してなる請求項１又は２記載の壁面冷暖房構造。
【請求項５】
パネルの前面に、その略全体にわたって水の流通路を設け、水を冷却又は加熱する冷温水器によって冷却又は加熱した水を該水の流通路に流通させ、該水の流通路からの熱を面として伝える冷暖房装置における前記パネルの前面に、調湿機能を持つ壁材を用いて製作したタイルを接着し、これを壁掛けとして構成したことを特徴とする壁面冷暖房構造。
【発明の詳細な説明】
【０００１】
【発明の属する技術分野】
本発明は壁面冷暖房構造に関し、更に詳細には壁面の部分を冷却又は加温して室内の冷暖房を行う壁面冷暖房構造に係わる。
【０００２】
【従来の技術】
従来、室内を冷房又は暖房する手段としてエアコンディショナーの如き冷暖房装置や、暖房のみを目的とするストーブや床暖房がある。
【０００３】
しかし、これらの手段において空気対流による暖房や冷房の場合には、室内の温度分布が、例えば天井付近では最高温度で床面は冷たい、或いはこの逆になるといった偏差的な現象が生じる。
【０００４】
また、床暖房の場合には、施工が面倒で手間がかかるという問題点や、寝室や廊下、洗面所、トイレ等の床面利用が困難な場所、或いは病院やオフィス、学校、店舗、飲食店など床面がタイル貼りの場合、或いはまた土間の場合には、施工することができないという問題点がある。
【０００５】
また、室内は年間を通して適当な湿度に保持されることが望ましいが、従来の冷房用又は暖房用の設備機器にあっては調湿機能が皆無である。したがって、室内の調湿にはこれとは別の設備機器を設置する必要があった。暖房時には相対湿度といって湿度の関係は非常に重要な要素であり、暖房の種類によっては除湿や加湿などの設備機器を用意して併用する必要があった。
【０００６】
【発明が解決しようとする課題】
本発明は上記の点に鑑みなされたものであって、室内における温度に偏りがなく、また施工が簡単で手間がかからず、且つまた床暖房を行うことができない場所や施設にあっても施工が可能であり、更に別の設備機器を用いることなく、年間を通して室内を適当な湿度に保持することができるようになした壁面冷暖房構造を提供せんとするものである。
【０００７】
【課題を解決するための手段】
而して、本発明の要旨とするところは、パネルの前面に、その略全体にわたって金属板等を用いて水の流通路を設け、水を冷却又は加熱する冷温水器によって冷却又は加熱した水を該水の流通路に流通させ、該水の流通路からの熱を面として伝える冷暖房装置における前記パネルの前面に、調湿機能を持つ壁材の層を形成し、これを室内における壁の表面となしたことを特徴とする壁面冷暖房構造にある。
【０００８】
また、上記構成において、調湿機能を持つ壁材としては、火山灰シラスを主成分とする調湿機能を持つ壁材を用いることが好ましい。
【０００９】
また、上記構成において、パネルの前面に、調湿機能を持つ壁材を用いて製作したタイルを接着することにより、パネルの前面に、調湿機能を持つ壁材の層を形成するようになしてもよい。
【００１０】
また、上記構成において、パネルの前面に、調湿機能を持つ壁材を塗布することにより、パネルの前面に、調湿機能を持つ壁材の層を形成するようになしてもよい。
【００１１】
更にまた、本発明は、パネルの前面に、その略全体にわたって水の流通路を設け、水を冷却又は加熱する冷温水器によって冷却又は加熱した水を該水の流通路に流通させ、該水の流通路からの熱を面として伝える冷暖房装置における前記パネルの前面に、調湿機能を持つ壁材を用いて製作したタイルを接着し、これを壁掛けとして構成した壁面冷暖房構造をもその要旨とするものである。
【００１２】
【発明の実施の形態】
以下、本発明の実施の形態について、図面を参照しつつ詳細に説明する。
図１は本願の第１の発明に係る第１実施形態の一部切断して示した正面図、図２は一部切断して示した部分拡大斜視図、図３は部分拡大縦断側面図、図４は部分拡大横断平面図である。
【００１３】
図中、１は水を用いる冷暖房装置である。また、該冷暖房装置１は、断熱材からなるパネル２の前面に、その略全体にわたって金属板３等を用いて水の流通路４を設け、水を冷却又は加熱する冷温水器５によって冷却又は加熱した水を該水の流通路４に流通させ、該水の流通路４からの熱を面として伝えるものである。
【００１４】
そして、本実施形態にあっては、火山灰シラスを主成分とする調湿機能を持つ壁材を用いて製作したタイル６を前記パネル２の前面に接着し、これを室内における壁面とするものである。
【００１５】
これを更に具体的に説明すると、先ずパネル２の前面に、調湿機能を持つ壁材を用いて製作したタイル６を接着したものを製作するが、これは予め工場にて行う。そしてこれを現場に運び、壁面に壁の一部として設置するものである。尚、調湿機能を持つ壁材としては、火山灰シラスを主成分とするものが好ましく、これの場合にはミクロのポーラス（微細孔）が連続しており、湿度が高いときには空気中の湿気を吸着し、乾燥時には放湿して一定の湿度を保つ機能を有している。そしてまたこれの場合にはセラミックであることから、温水によって加温すると遠赤外線の放射が高まり、輻射熱として人体に吸収され、穏やかで健康的な温熱環境が得られるものである。
【００１６】
次に、本願の第１の発明に係る第２実施形態について図５を参照しつつ説明する。
本実施形態は、現場における壁面に壁の一部として設置したパネル２の前面に火山灰シラスを主成分とする調湿機能を持つ壁材７を塗布するものである。
【００１７】
次に、上記本願の第１の発明に係る第１、第２実施形態の作用について説明する。
金属板３等を用いて設けた水の流通路４からの熱がタイル６又は壁材７を冷却又は加温し、壁面から冷却又は加温して冷暖房を行うものである。また、暖房に関して言えば、この場合には空気対流による暖房ではなく、輻射熱暖房であるから、室内における温度に偏りがない。尚、暖房に必要な面積は壁表面の加温温度によって変わるが、床暖房と違い人体が直接接触することがないことから若干高い温度に設定できる。また、壁暖房の敷設面積は、壁表面温度を高く設定できれば反比例して狭くできる。しかし、安全性と快適性、省エネ効率からみて壁表面温度は３５℃〜４０℃以内が最も効率がよく、室内広さの４０％前後の敷設面積で満足な暖房効果が得られる。そしてまた、本発明による壁面暖房は、前記の通り空気対流による暖房ではなく、輻射熱暖房であるから、室内の湿度を過度に乾燥させることがない。したがってまた、暖房中特別に加湿する必要もない。
【００１８】
そしてまた、パネル２の前面には調湿機能を持つ壁材の層（タイル６、壁材７）が形成されているから、別の設備機器を用いることなく年間を通して室内を適当な湿度に保持することができるものである。
【００１９】
次に、本願の第２の発明について図６を参照しつつ説明する。
本願の第２の発明と前記第１の発明との相違点は、本願の第２の発明においてパネル２の前面に、火山灰シラスを主成分とする調湿機能を持つ壁材を用いて製作したタイル６を接着し、これを壁掛けとして構成した点にある。尚、図６においては同一構造のものを２枚横方向に連設したものを示している。
【００２０】
これを更に具体的に説明すると、工場において予めパネル２の前面に調湿機能を持つ壁材を用いて製作したタイル６を接着し、これを壁掛けの形態とする。そしてこれを現場に運び、既存の壁面の表面に適宜の手段で固定するものである。また、その他の構成は前記本願の第１の発明と同様であるから、同一の部材には同一の符号を附して詳細な説明は省略する。
【００２１】
【発明の効果】
本発明は上記の如き構成、作用であり、壁面に施工し、壁面から加温して暖房するものである。したがって、床暖房に比べて施工が簡単で手間がかからず、また床暖房を行うことができない場所や施設にあっても施工が可能である。そしてまた、暖房に関して言えば、本発明による壁暖房は空気対流による暖房ではなく、輻射熱暖房であるから、室内における温度に偏りがない。且つまた室内の湿度を過度に乾燥させることもない。したがってまた、暖房中特別に加湿する必要もない。また、高温暖房機器と異なり穏やかで、室内環境を損なわないものである。加えて調湿機能を持つ壁材の層を種々にデザインすることによって、室内を様々な雰囲気のインテリアにすることもできるものである。
【００２２】
また、パネルの前面には調湿機能を持つ壁材の層が形成されているから、別の設備機器を用いることなく、年間を通して室内を適当な湿度に保持することができるものである。そしてまた、調湿機能を持つ壁材として火山灰シラスを主成分とするものを用いる場合、これにはミクロのポーラス（微細孔）が連続していることから、湿度が高いときには空気中の湿気を吸着し、乾燥時には放湿して一定の湿度を保つ機能が高く、またセラミックであることから、温水によって加温すると遠赤外線の放射が高まり、輻射熱として人体に吸収され、穏やかで健康的な温熱環境が得られるものである。
【００２３】
また、パネルの前面に、調湿機能を持つ壁材を用いて製作したタイルを接着し、これを壁掛けとして構成した場合には、既存のどのような壁面にも、而も簡単に取り付けることができるものである。
【図面の簡単な説明】
【図１】本願の第１の発明に係る第１実施形態の一部切断して示した正面図である。
【図２】図１に示した実施形態の一部切断して示した部分拡大斜視図である。
【図３】図１に示した実施形態の部分拡大縦断側面図である。
【図４】図１に示した実施形態の部分拡大横断平面図である。
【図５】本願の第１の発明に係る第２実施形態の一部切断して示した正面図である。
【図６】本願の第２の発明の説明図である。
【符号の説明】
１  水を用いる冷暖房装置
２  パネル
３  金属板
４  水の流通路
５  冷温水器
６  調湿機能を持つ壁材を用いて製作したタイル
７  調湿機能を持つ壁材
【図１】
2004163053.tif 000003
【図２】
2004163053.tif 000004
【図３】
2004163053.tif 000005
【図４】
2004163053.tif 000006
【図５】
2004163053.tif 000007
【図６】
2004163053.tif 000008